(57)【要約】【課題】操作の煩わしさを解消する。【解決手段】登録装置は、登録された商品の精算完了前の取引を保留する取引保留手段と、取引保留手段により保留された取引に関する保留情報を出力する出力手段と、出力手段により出力された保留情報を取得する取得手段と、取得手段により取得された保留情報に基づく画面を表示する表示手段と、を有し、保留情報は、保留された取引において行われた操作に関する操作情報を含み、表示手段は、保留情報に含まれる操作情報に基づく画面を表示する。【選択図】図１２
2018092408.tif 000002
【特許請求の範囲】
【請求項１】
商品を登録する登録装置を備えた商品販売データ処理システムであって、
前記登録装置は、
取引を保留する取引保留手段と、
前記取引保留手段により保留された取引に関する保留情報を出力する出力手段と、
前記出力手段により出力された前記保留情報を取得する取得手段と、
前記取得手段により取得された前記保留情報に基づく画面を表示する表示手段と、
を有し、
前記保留情報は、保留された取引において行われた操作に関する操作情報を含み、
前記表示手段は、前記保留情報に含まれる前記操作情報に基づく画面を表示することを特徴とする商品販売データ処理システム。
【請求項２】
前記出力手段は、前記取得手段により前記保留情報が取得可能な記録媒体に前記保留情報を出力し、
前記操作情報は、商品の登録完了を示す締め操作を示す情報、または前記操作により表示された状態の画面を示す情報であることを特徴とする請求項１に記載の商品販売データ処理システム。
【請求項３】
前記表示手段により表示される画面として、前記操作情報に基づく画面とは異なる画面を選択可能である請求項１または請求項２に記載の商品販売データ処理システム。
【請求項４】
前記保留情報は、保留された取引において登録された商品に関する情報を含む請求項１から請求項３のいずれか１項に記載の商品販売データ処理システム。
【請求項５】
顧客が自ら精算する精算装置をさらに有し、
前記精算装置は、前記出力手段により出力された前記保留情報を取得する他の取得手段を有し、
前記他の取得手段により取得された前記保留情報に基づき、保留された取引により登録された商品の精算が可能であることを特徴とする請求項１から請求項４のいずれか１項に記載の商品販売データ処理システム。
【発明の詳細な説明】
【技術分野】
【０００１】
本発明は、商品販売データ処理システムに関する。
【背景技術】
【０００２】
取引の途中で商品の追加や交換などのため、その場を離れる場合に取引データを一時的に保留して、他の取引に登録などの作業を行い、その後に保留しておいた取引データを呼び出して再度取引の続きを行うことが可能な端末装置が知られている（例えば、特許文献１参照）。
【先行技術文献】
【特許文献】
【０００３】
【特許文献１】特開２００３−１０９１１８号公報
【発明の概要】
【発明が解決しようとする課題】
【０００４】
しかしながら、従来の技術では、例えば締めの操作が行われた後に保留して、保留されたときの取引データを呼び出した場合、締めの操作は反映された状態ではなく、締めの操作前の状態となる。この場合、店員は再度締めの操作を行わなければならないため、操作が煩わしいという問題がある。
【０００５】
本発明は、このような事情に鑑みてなされたもので、その目的は、操作の煩わしさを解消することができる技術を提供することにある。
【課題を解決するための手段】
【０００６】
上述した課題を解決するために、本発明の一態様である商品販売データ処理システムは、商品を登録する登録装置を備えた商品販売データ処理システムであって、前記登録装置は、取引を保留する取引保留手段と、前記取引保留手段により保留された取引に関する保留情報を出力する出力手段と、前記出力手段により出力された前記保留情報を取得する取得手段と、前記取得手段により取得された前記保留情報に基づく画面を表示する表示手段と、を有し、前記保留情報は、保留された取引において行われた操作に関する操作情報を含み、前記表示手段は、前記保留情報に含まれる前記操作情報に基づく画面を表示することを特徴とする。
当該商品販売データ処理システムによれば、操作の煩わしさを解消することができる。
【０００７】
本発明の一態様である商品販売データ処理システムは、前記出力手段は、前記取得手段により前記保留情報が取得可能な記録媒体に前記保留情報を出力し、前記操作情報は、商品の登録完了を示す締め操作を示す情報、または前記操作により表示された状態の画面を示す情報であることを特徴とする。
当該商品販売データ処理システムによれば、操作情報を、商品の登録完了を示す締め操作を示す情報、または前記操作により表示された状態の画面を示す情報とすることができる。
【０００８】
本発明の一態様である商品販売データ処理システムは、前記表示手段により表示される画面として、前記操作情報に基づく画面とは異なる画面を選択可能である。
当該商品販売データ処理システムによれば、取引を再開する場合に新たな商品を登録する必要があるときは、登録画面を表示することができるので、操作の煩わしさを解消することができる。
【０００９】
本発明の一態様である商品販売データ処理システムは、前記保留情報は、保留された取引において登録された商品に関する情報を含む。
当該商品販売データ処理システムによれば、登録装置は保留情報から登録された商品に関する情報を取得することができる。
【００１０】
本発明の一態様である商品販売データ処理システムは、顧客が自ら精算する精算装置をさらに有し、前記精算装置は、前記出力手段により出力された前記保留情報を取得する他の取得手段を有し、前記他の取得手段により取得された前記保留情報に基づき、保留された取引により登録された商品の精算が可能であることを特徴とする。
当該商品販売データ処理システムによれば、取引を再開する際に、登録装置における登録処理が必要ない場合に、精算装置において保留レシートで精算可能とすることで、登録装置における登録処理を省くことができるので、操作の煩わしさを解消することができる。
【発明の効果】
【００１１】
以上のように、操作の煩わしさを解消することができる。
【図面の簡単な説明】
【００１２】
【図１】本発明の実施形態におけるＰＯＳシステムの構成例を表すブロック図である。
【図２】登録装置の構成例を表すブロック図である。
【図３】登録画面例である。
【図４】保留レシートの一例である。
【図５】保留レシートの２次元コードに格納された情報の一例である。
【図６】小計画面例である。
【図７】保留レシートの一例である。
【図８】保留レシートの２次元コードに格納された情報の一例である。
【図９】登録画面例である。
【図１０】検索登録画面例である。
【図１１】登録装置の動作の流れを表すフローチャートである。
【図１２】登録装置の動作の流れを表すフローチャートである。
【発明を実施するための形態】
【００１３】
本実施形態では、商品販売データ処理システムとしてＰＯＳシステムを例にして説明する。図１は、本発明の実施形態におけるＰＯＳシステム１の構成例を表すブロック図である。ＰＯＳシステム１は、店舗に設置される。ＰＯＳシステム１は、図１に示すように、登録装置（商品登録装置とも称する）１０−１、１０−２、…と、精算装置２０−１、２０−２、…と、ストアコントローラ３０とを備え、ＬＡＮ４０を介して通信可能に接続されている。なお、登録装置１０−１、１０−２、…は、同一の構成であるため、特に個々を区別しない場合には、登録装置１０と総称する。精算装置２０−１、２０−２、…は、同一の構成であるため、特に個々を区別しない場合には、精算装置２０と総称する。なお、ＬＡＮ４０上には、上記に加えて、登録装置１０や精算装置２０の処理状況等を監視等する監視装置（不図示）などが接続されていてもよい。
【００１４】
ストアコントローラ３０は、店舗フロアの各装置（登録装置１０、精算装置２０）や、店舗外部の装置（例えば、本部の装置）などと通信する、コンピュータ（サーバ）である。ストアコントローラ３０は、店舗のバックヤード（不図示）などに設置される。
【００１５】
ストアコントローラ３０は、少なくとも、制御部（ストアコントローラ制御部と称する。不図示）と、記憶部（ストアコントローラ記憶部と称する。不図示）と、通信部（ストアコントローラ通信部と称する。不図示）と、を備える。ストアコントローラ制御部は、ストアコントローラ３０全体を制御する。
【００１６】
ストアコントローラ記憶部は、種々の情報を記憶する。例えば、ストアコントローラ記憶部は、商品ファイルをマスタファイルとして記憶する。商品ファイルは、商品コード（例えば、ＪＡＮ）、商品名、販売価格を含むマスタファイルである。また、ストアコントローラ記憶部は、取引情報を記憶する。取引情報は、各取引を特定（識別）するための取引番号（取引特定情報）、各取引の明細情報を含む取引に関する情報である。取引番号は、例えば、当該取引の処理をした装置の装置番号、取引毎に採番される固有の番号（例えば、シリアル番号）とから構成される番号としてもよい。また、明細情報には、例えば、当該取引の処理をした装置の装置番号、担当者識別情報、取引日時、商品名（又は商品コード）、金額、購入数、合計金額などが含まれていればよい。
【００１７】
ストアコントローラ通信部は、ストアコントローラ制御部の制御によって、種々の情報を送受信する。例えば、ストアコントローラ通信部は、外部（例えば、本部のサーバ）から商品ファイルを受信し、ストアコントローラ記憶部に記憶する。また、ストアコントローラ通信部は、ストアコントローラ記憶部に記憶している商品ファイルを登録装置１０や精算装置２０に送信（配信）する。また、ストアコントローラ通信部は、登録装置１０や精算装置との間で取引情報を送受信する。
【００１８】
登録装置１０は、主として、商品（購入商品）を登録する登録処理を行う装置である。店員（オペレータ）は、登録装置１０を操作し、登録装置１０に登録処理を実行させる。本実施形態における登録装置１０は、取引の途中で商品の追加や交換のため、客がその場を離れる場合に、取引を一時的に保留して、次の取引の登録や精算など他の作業を行い、その後に保留しておいた取引を再開することができる。
【００１９】
精算装置２０は、主として、登録装置１０によって登録された買上商品を精算する精算処理を行う装置である。客は、登録装置１０における処理の完了後、精算装置２０の設置場所に移動し、精算装置２０を操作し、精算装置２０に精算処理を実行させる。
【００２０】
登録装置１０は、登録処理において登録情報（取引情報）を生成する。また、登録装置１０は、登録処理において、取引を保留した場合には、保留情報を生成するとともに、保留レシートを発行する。保留情報、保留レシートについての詳細は後述する。精算装置２０は、登録装置１０において生成された登録情報を取得し、取得した登録情報を用いて精算処理を実行する。精算装置２０が登録情報を取得する態様、換言すれば、ＰＯＳシステム１において、登録情報を登録装置１０から精算装置２０に供給する態様には、種々の態様がある。
【００２１】
（精算装置２０を指定する態様）
登録装置１０で精算処理を実行させる精算装置２０を指定し、ＬＡＮ４０を介して指定先の精算装置２０に登録情報に供給する態様である。当該態様の場合、登録装置１０は、精算処理を実行させる精算装置２０を指定する入力を店員から受け付ける。なお、精算装置２０の指定は、商品の登録情報を精算装置２０において読み出されるようにする宣言の１つである。
【００２２】
登録装置１０は、精算処理を実行させる精算装置２０を指定する入力があったときに、ＬＡＮ４０を介して指定された精算装置２０に登録情報を送信する。これにより、登録情報は、登録装置１０から精算装置２０に供給される。なお、登録装置１０と精算装置２０は、直接、情報を送受信してもよいし、ストアコントローラ３０を介して、情報を送受信してもよい。即ち、登録装置１０は、ストアコントローラ３０を介して精算装置２０に登録情報を送信してもよいし、直接、精算装置２０に登録情報を送信してもよい。
【００２３】
また、登録装置１０は、精算処理を実行させる精算装置２０を指定する入力があったときに、登録情報を送信することに代えて、取引番号を送信するようにしてもよい。この場合には、以下の様にして、登録情報は、登録装置１０から精算装置２０に供給される。まず、登録装置１０は、精算処理を実行させる精算装置２０を指定する入力があったときに、ＬＡＮ４０を介して指定された精算装置２０に取引番号を送信する。登録装置１０から取引番号を受信した精算装置２０（指定された精算装置２０）は、例えば、所定の操作（例えば、画面タッチ）があったときに、取得した取引番号によって特定される登録情報を登録装置１０に要求する。要求情報（登録情報を要求する情報）を受信した登録装置１０は、精算装置２０からの要求に応じて該当する登録情報を精算装置２０に送信する。これにより、登録情報は、登録装置１０から精算装置２０に供給される。なお、登録装置１０と精算装置２０は、直接、情報を送受信してもよいし、ストアコントローラ３０を介して、情報を送受信してもよい。即ち、登録装置１０は、ストアコントローラ３０を介して精算装置２０に取引番号や登録情報を送信してもよいし、直接、精算装置２０に取引番号や登録情報を送信してもよい。また、精算装置２０は、ストアコントローラ３０を介して登録装置１０に要求情報を送信してもよいし、直接、登録装置１０に要求情報を送信してもよい。
【００２４】
（お会計券を発行する態様）
登録装置１０でお会計券を指定し、精算装置２０でお会計券上のコード情報を読み取らせることによって、登録情報を供給する態様である。当該態様の場合、登録装置１０は、お会計券を発行する旨の入力を店員から受け付ける。なお、お会計券を発行する旨の入力は、商品の登録情報を精算装置２０において読み出されるようにする宣言の１つである。
【００２５】
なお、お会計券とは、ある取引の買上データ（登録情報）そのものや、取引（即ち、買上データ）を特定するための情報（取引番号）がコード化（例えば、１次元バーコード化や２次元コード（例えばＱＲコード（登録商標））化）されて印刷されているシートである。お会計券上のコードは精算装置２０のスキャナ等によって読み取られ、当該精算装置２０に精算すべき取引の買上データが読み出される。
【００２６】
（取引番号を１次元バーコード化する態様）
登録装置１０は、お会計券を発行する旨の入力があったときに、取引番号を１次元バーコード化した１次元バーコードを印刷したお会計券を発行する。精算装置２０は、お会計券に印刷された１次元バーコードを読み取って取引番号を取得し、取得した取引番号によって特定される登録情報を登録装置１０に要求し、登録装置１０は、当該精算装置２０からの要求に応じて該当する登録情報を精算装置２０に送信すればよい。なお、精算装置２０は、ストアコントローラ３０を介して登録装置１０に要求情報（登録情報を要求する情報）を送信してもよいし、直接、登録装置１０に要求情報を送信してもよい。また、登録装置１０は、ストアコントローラ３０を介して精算装置２０に登録情報を送信してもよいし、直接、精算装置２０に登録情報を送信してもよい。
【００２７】
なお、精算装置２０は、１次元バーコードが印刷されたお会計券から取引番号を取得した場合に、ストアコントローラ３０から登録情報を取得してもよい。つまり、精算装置２０は、登録装置１０に記憶されている登録情報を当該登録装置１０に要求するのではなく、ストアコントローラに記憶している登録情報（登録装置１０が生成後にストアコントローラ３０に送信したもの）をストアコントローラ３０に要求してもよい。
【００２８】
（登録情報を２次元コード化する態様）
また、登録装置１０は、お会計券を発行する旨の入力があったときに、取引番号を１次元バーコード化した１次元バーコードを印刷したお会計券に代えて、登録情報を２次元コード（例えばＱＲコード（登録商標））化した２次元コードを印刷したお会計券を発行するようにしてもよい。この場合には、精算装置２０は、お会計券に印刷された２次元を読み取って登録情報を取得することができる。
【００２９】
図２は、登録装置１０の構成例を表すブロック図である。登録装置１０は、図２に示すように、ＣＰＵ１０１と、ＲＯＭ１０２と、ＲＡＭ１０３と、スキャナ部１０４と、店員用表示部１０５と、客用表示部１０６と、ハードディスク１０７と、店員用操作部１０８と、通信部１０９と、ブザー１１０と、印刷部１１１と、バス１１２とを備える。これらは、バス１１２を介して互いに接続されている。
【００３０】
ＣＰＵ１０１は、ＲＯＭ１０２に記憶されているプログラムをＲＡＭ１０３に展開し、実行することにより、登録装置１０全体を制御する。詳細は後述する。
【００３１】
ＲＯＭ１０２は、種々の情報を記憶する。例えば、ＲＯＭ１０２は、ＣＰＵ１０１によって実行されるプログラムや、自装置の装置番号（装置識別情報）などを記憶する。
【００３２】
ＲＡＭ１０３は、種々の情報を一時記憶する。例えば、ＲＡＭ１０３は、ＲＯＭ１０２から読み出されたプログラムや、当該プログラムの実行などによって取得又は生成される情報（例えば、各種の判定結果、登録情報、読取情報）を一時記憶する。なお、ＲＡＭ１０３は、商品ファイルを一時記憶してもよい。
【００３３】
スキャナ部１０４は、商品に付されたバーコードを光学的に読み取って当該商品の商品コードを取得（コード化されていた商品コードを逆変換して取得）する。スキャナ部１０４は、取得した商品コードをＣＰＵ１０１に通知する。また、スキャナ部１０４は、店員の名札等に付されたバーコードを光学的に読み取って当該店員を識別する担当者識別情報（例えば、担当者コード、担当者名）を取得する。スキャナ部１０４は、取得した担当者識別情報をＣＰＵ１０１に通知する。
【００３４】
店員用表示部１０５は、店員に情報を表示する、例えば、例えば、液晶タッチディスプレイ装置である。店員用表示部１０５は、店員用操作部１０８に代えて店員用操作部１０８が備える操作ボタンと同様の機能を有する各種のＧＵＩ操作ボタンを表示してもよい。また、店員用表示部１０５は、所定商品（例えば、生鮮食料品）を登録するためのプリセットボタンを表示してもよい。店員用表示部１０５において店員の操作があった場合には、操作信号がＣＰＵ１０１に通知される。
【００３５】
客用表示部１０６は、客に情報を表示する、例えば、液晶ディスプレイ装置である。客用表示部１０６は、店員用表示部１０５と同様、液晶タッチディスプレイ装置であってもよい。例えば、客用表示部１０６は、メッセージ（例えば、公共料金の金額確認）に対する操作を受け付ける。客用表示部１０６において客の操作があった場合には、操作信号がＣＰＵ１０１に通知される。
【００３６】
ハードディスク１０７は、種々の情報を記憶する。例えば、ハードディスク１０７は、ストアコントローラ３０から送信され、通信部１０９によって受信された商品ファイルを記憶する。なお、ＲＯＭ１０２に代えて、ハードディスク１０７が、上述のプログラムを記憶してもよい。
【００３７】
店員用操作部１０８は、各種の操作ボタン（操作キー）を備える。例えば、店員用操作部１０８は、数字ボタン（数字キー）、小計ボタン（小計キー）、精算装置指定ボタン（精算装置指定キー）、お会計券発行ボタン（お会計券発行キー）、確認ボタン（確認キー）、取消ボタン（取消キー）などを備える。また、店員用操作部１０８は、上述のプリセットボタン（プリセットキー）を備えていてもよい。店員用操作部１０８において、店員の操作があった場合には、操作信号がＣＰＵ１０１に通知される。
【００３８】
通信部１０９は、ＬＡＮ４０を介して他の装置と通信するための通信インタフェースである。ブザー１１０は、確認音や警告音などを発生させるための音発生部である。印刷部１１１は、お会計券となどの媒体を印刷、発行する。
【００３９】
ＣＰＵ１０１は、操作内容や処理の進行状況に応じて表示内容を制御する。ＣＰＵ１０１は、本実施例においては、例えば、商品を登録しようとするときには登録画面を表示し、商品の登録を完了しようとするときには小計画面を表示するように制御する。なお、登録画面、小計画面の詳細は後述する。
【００４０】
ＣＰＵ１０１は、スキャナ部１０４を介して商品コードを取得した場合（商品に付されたバーコードがスキャナ部１０４によって読み取られた場合）、ハードディスク１０７に記憶されている商品ファイルを参照し、買上商品の商品名や販売価格を特定し、個々の買上商品の商品名や販売価格や購入数をＲＡＭ１０３に一時記憶する。つまり、登録処理を実行する。プリセットボタンが押下（タッチ）された場合も同様である。
【００４１】
ＣＰＵ１０１は、スキャナ部１０４を介して担当者識別情報を取得した場合（名札等に付されたバーコードがスキャナ部１０４によって読み取られた場合）、ＲＡＭ１０３に担当者識別情報を一時記憶する。
【００４２】
ＣＰＵ１０１は、登録情報（取引情報）を生成する。例えば、ＣＰＵ１０１は、宣言の後に（例えば、精算装置指定ボタンの押下後、お会計券発行ボタンの押下後）に、ＲＡＭ１０３に一時記憶されている情報や、ＲＯＭ１０２に記憶されている情報などに基づいて登録情報（取引番号及び明細情報）を生成する。ＣＰＵ１０１は、保留情報を生成する。例えば、ＣＰＵ１０１は、後述する保留キーの押下後に、ＲＡＭ１０３に一時記憶されている情報や、ＲＯＭ１０２に記憶されている情報などに基づいて保留情報を生成する。生成された保留情報は、ハードディスク１０７に出力され、ハードディスク１０７に記憶される。従って、登録装置１０は、保留情報をハードディスク１０７から取得する。
【００４３】
以下、ＣＰＵ１０１による、登録情報の生成、及び、その後の処理について、精算装置２０の指定があった場合とお会計券の発行の入力があった場合とに分けて説明する。
【００４４】
（精算装置２０の指定があった場合）
ＣＰＵ１０１は、精算装置指定ボタンが押下された旨の操作信号を受信した場合、上述の如く登録情報を生成する。登録情報を生成したＣＰＵ１０１は、通信部１０９を制御して、精算装置指定ボタンによって指定された精算装置２０に当該登録情報を送信する。なお、上述の如く、ＣＰＵ１０１は、ストアコントローラ３０を介して精算装置２０に登録情報を送信してもよいし、直接、精算装置２０に登録情報を送信してもよい。また、ＣＰＵ１０１は、直接、精算装置２０に登録情報を送信する場合においても、当該精算装置２０に加えて、ストアコントローラ３０に登録情報を送信してもよい。また、ＣＰＵ１０１は、他の装置（精算装置２０、ストアコントローラ３０）への送信に加えて、登録情報をＲＡＭ１０３に一時記憶してもよい。
【００４５】
また、登録情報を生成したＣＰＵ１０１は、当該登録情報全体ではなく、当該登録情報に含まれる取引番号を、精算装置２０に送信してもよい。なお、上述の如く、ＣＰＵ１０１は、ストアコントローラ３０を介して精算装置２０に取引番号を送信してもよいし、直接、精算装置２０に取引番号を送信してもよい。また、ＣＰＵ１０１は、精算装置２０への取引番号に加えて、ストアコントローラ３０に登録情報（取引番号及び明細情報）を送信してもよい。また、ＣＰＵ１０１は、他の装置（精算装置２０、ストアコントローラ３０）への送信に加えて、登録情報（取引番号及び明細情報）をＲＡＭ１０３に一時記憶してもよい。なお、ＣＰＵ１０１は、取引番号の送信先である精算装置２０から登録情報を要求された場合には、当該要求に応じた登録情報（当該要求に含まれる取引番号の登録情報）を精算装置２０に応答（送信）すればよい。
【００４６】
（お会計券の発行の入力があった場合）
ＣＰＵ１０１は、お会計券発行ボタンが押下された旨の操作信号を受信した場合、上述の如く登録情報を生成する。登録情報を生成したＣＰＵ１０１は、生成した登録情報をＲＡＭ１０３に一時記憶する。また、ＣＰＵ１０１は、印刷部１１１を制御して、当該登録情報に含まれる取引番号を１次元バーコード化した１次元バーコードを印刷したお会計券を発行させる。なお、お会計券上の１次元バーコードは、精算装置２０にて読み取られるようにできている。また、ＣＰＵ１０１は、お会計券を読み取った精算装置２０から登録情報を要求された場合には、当該要求に応じた登録情報（当該要求に含まれる取引番号の登録情報）を精算装置２０に応答（送信）すればよい。
【００４７】
また、登録情報を生成したＣＰＵ１０１は、１次元バーコードを印刷したお会計券ではなく、印刷部１１１を制御して、当該登録情報全体を２次元コード（例えばＱＲコード（登録商標））化した２次元コードを印刷したお会計券を発行させてもよい。なお、お会計券上の２次元コードは、精算装置２０にて読み取られるようにできている。
【００４８】
また、ＣＰＵ１０１は、本実施例においては、上記以外にも、操作内容や処理の進行状況に応じて各種の制御を実行可能である。
【００４９】
次に取引の保留について説明する。まず、登録中の保留について説明する。図３は登録画面の一例である。図４は保留レシートの一例である。図５は、保留レシートの２次元コードに格納された情報の一例である。
【００５０】
図３に例示した登録画面は、商品を登録するときに表示される画面である。画面左上は、今（最後に）登録した商品の商品名や販売価格を表示する領域である。図３に例示した登録画面においては、商品名「卵（Ｍ）」、内税売「￥１８０」が表示されている。画面左下（左中央）は、当該客（一取引）について登録した商品について一欄表示する領域である。図３に例示した登録画面においては、缶ビール、アスパラ、卵（Ｍ）が夫々の販売価格とともに表示されている。画面右上は、当該客について現在の登録迄の合計を表示する領域である。図３に例示した登録画面においては、合計の買上点数として「３」、合計の買上金額として「￥５６３」が表示されている。画面右下（右中央）は、プリセットボタンを配置する領域である。図３に例示した登録画面においてはタブ「野菜」におけるプリセットボタン「きゅうり」「にんじん」などが配置されている。
【００５１】
また、登録画面には、店員用操作部１０８の小計ボタンに対応する小計ボタン２０１、保留ボタン２０２、及び検索登録ボタン２０３が配置されている。小計ボタン２０１は、商品の登録完了がなされたときに押下されるボタンであり、小計ボタン２０１の押下操作は、商品の登録完了を示す締め操作である。保留ボタン２０２は、取引を保留するときに押下されるボタンである。保留ボタン２０２が押下されると、ＣＰＵ１０１は、図４に示されるように、保留情報を紙などの記録媒体に出力する。検索登録ボタン２０３については後述するが、登録中の登録画面において検索登録ボタン２０３は押下できないため、無効であることを示すため灰色で表示される。
【００５２】
図４に例示した保留レシートには、保留日時、レジ番号、レジ担当、レシート番号、及び２次元コードが印刷される。保留日時は、保留ボタン２０２が押下された日時を示す。レジ番号は、取引が行われたレジを識別するための番号を示す。レジ担当は、レジ操作を行った店員名を示す。レシート番号は、取引を識別するための番号を示す。従って、２次元コードに格納された情報を取得しなくても、取引を特定することは可能である。なお、保留レシートには、登録された商品の点数、合計金額等が印字されていてもよい。
【００５３】
図５に例示した２次元コードに格納された情報には、「保留レシート」、保留日時、レジ番号、レジ担当、レシート番号、登録情報、及び操作情報が含まれる。「保留レシート」は、当該２次元コードが保留レシートに印刷されたものであることを示す。保留日時は、保留ボタン２０２が押下された日時を示す。レジ番号は、取引が行われたレジを識別するための番号を示す。レジ担当は、レジ操作を行った店員名を示す。レシート番号は、取引を識別するための番号を示す。
【００５４】
登録情報は、保留前に登録されていた商品コード、商品名、及び数量を示す。操作情報は、小計ボタンが押下されたか否かを示し、小計ボタンが押下されている場合にはオンとなり、小計ボタンが押下されてない場合にはオフとなる。このように、保留レシートには、保留された取引において行われた操作に関する操作情報が含まれる。なお、図３に示す登録画面の場合、小計ボタン２０１は押下されていないため、２次元コードに含まれる小計ボタンはオフを示している。このように、保留情報は、登録情報及び操作情報を含む。
【００５５】
保留情報に含める情報は、上述した情報に限らず、買い物袋の有無、会計方法、値引き、割引き、会員情報、及び品券類の使用情報等を、店舗の方針等に応じて保留情報に含めるようにしてもよい。このようにすることで、店舗の方針に応じた情報を店員または顧客に明示することができるため、より有効なサービスを提供することができる。
【００５６】
次に、小計画面における保留について説明する。図６は小計画面の一例である。図７は保留レシートの一例である。図８は、保留レシートの２次元コードに格納された情報の一例である。
【００５７】
図６に例示した小計画面は、当該客（一取引）について商品の登録を完了しようとするときに表示される画面である。例えば、小計画面は、登録画面の表示中に小計キーが押下された場合に表示される。画面左側は、当該客（一取引）について登録した商品について一欄表示する領域である。図４（ａ）に例示した小計画面においては、缶ビール、アスパラ、卵（Ｍ）が夫々の販売価格とともに表示されている。画面右側は、当該客の合計を表示する領域である。図４（ａ）に例示した小計画面においては、合計の買上点数として「３」、合計の買上金額として「￥５６３」が表示されている。
【００５８】
画面下部の符号Ａ〜符号Ｃは、精算装置指定ボタンである。なお、「１０２レジ」「１０３レジ」「１０４レジ」は、夫々が、ＰＯＳシステム１に属する何れかの精算装置２０に付された名称である。例えば、「１０２レジ」は精算装置２０−１、「１０３レジ」は精算装置２０−２、「１０４レジ」は精算装置２０−３というように対応している。店員は、当該取引の精算処理を「１０２レジ」にて実行させるようとするときは精算装置指定ボタン「１０２レジ」を押下し、当該取引の精算処理を「１０３レジ」にて実行させるようとするときは精算装置指定ボタン「１０３レジ」を押下し、当該取引の精算処理を「１０４レジ」にて実行させるようとするときは精算装置指定ボタン「１０４レジ」を押下する。即ち、精算装置指定ボタンによって精算処理を実行させる精算装置２０が指定される。なお、店員用操作部１０８として精算装置指定キーを備える場合には、精算装置指定キーによって精算処理を実行させる精算装置２０を指定されるようにしてもよい。なお、図６の小計画面に表示されている符号Ａ〜符号Ｃの精算装置指定ボタンを、図３の登録画面においても表示するようにしてもよい。このようにすることで、精算装置２０の状態等をを登録中に把握することなどができる。
【００５９】
画面下部の符号Ｄは、お会計券発行ボタンである。店員は、当該取引の精算処理を、お会計券を読み取った精算装置２０にて実行させるようとするときはお会計券発行ボタンを押下する。即ち、お会計券発行ボタンによってお会計券が発行される。なお、店員用操作部１０８としてお会計券発行キーを備える場合には、お会計券発行キーによってお会計券が発行されるようにしてもよい。
【００６０】
図６に例示した小計画面では、精算装置指定ボタン（符号Ａ〜符号Ｃ）や、お会計券発行ボタン（符号Ｄ）が、小計画面の購入商品の商品名が表示される欄や、買上点数、合計金額が表示される欄（買上商品に関する情報を表示する欄）に隣接して配置されている。このように、精算装置指定ボタンやお会計券発行ボタンが、買上商品に関する情報を表示する欄と隣接して表示されているので、精算装置指定ボタンやお会計券発行ボタンを押すことを店員に促すことができ、それらを押さずに次のお客の商品登録をすることを極力回避することができる。なお、図６では、購入商品の商品名が表示される欄と、合計金額を表示する欄に隣接している例を示したが、これに限らず、購入商品の商品名が表示される欄、買上点数が表示される欄、合計金額が表示される欄の少なくとも１つの欄のみに隣接するようにしてもよい。つまり、精算装置指定ボタンやお会計券発行ボタンなどを、商品名、点数、合計金額などのように店員が注目する、買上商品に関する情報を表示する欄のいずれか１つ、又は複数と隣接させて配置することで、精算装置指定ボタンやお会計券発行ボタンを押すことを店員に促すことができる。
【００６１】
画面下部の符号Ｅは、登録画面ボタンである。店員は、当該取引として商品を登録するときは登録画面ボタンを押下する。例えば、客Ａに対する小計画面を表示しているときに客Ａが購入する商品として商品Ｘを登録するときには、店員は、一旦、小計画面から抜けて登録画面に戻すために登録画面ボタンを押下する。即ち、登録画面ボタンが押下された場合には登録画面が表示される。なお、店員用操作部１０８として登録画面ボタンに相当するキー（登録画面キー）が存在する場合には、当該登録画面キーの押下によって登録画面が表示されるようにしてもよい。
【００６２】
また、小計画面には、図３と同様に、小計ボタン２０１、保留ボタン２０２、及び検索登録ボタン２０３が配置されている。既に小計ボタン２０１が押下されているため、小計ボタン２０１は無効化される。また、小計画面において検索登録ボタン２０３は押下できないため、検索登録ボタン２０３は無効化される。
【００６３】
図７に例示した保留レシートには、図４と同様に、保留日時、レジ番号、レジ担当、レシート番号、及び２次元コードが印刷される。図８に例示した２次元コードに格納された情報には、図５と同様に、「保留レシート」、保留日時、レジ番号、レジ担当、レシート番号、登録情報、及び操作情報が含まれる。図８に示す登録画面の場合、小計ボタン２０１は押下されているため、２次元コードに含まれる小計ボタンはオンを示している。
【００６４】
以上説明した保留レシートは、保留された取引を再開する際に登録装置１０により読み取られる。登録装置１０は、他の取引における商品の登録などは行われていない状態で保留レシートを読み取る。
【００６５】
図９は、他の取引における商品の登録などは行われていない状態の登録画面の一例である。図９に例示した登録画面は、商品が登録されていないため、小計ボタン２０１、保留ボタン２０２は押下できないことから、小計ボタン２０１及び保留ボタン２０２は無効化される。このような商品が登録されていない登録画面において、店員が検索登録ボタン２０３を押下すると検索登録画面が表示される。
【００６６】
図１０は、検索登録画面２１０の一例である。検索登録画面２１０には、入力ボタン、実行ボタン、終了ボタン、テンキー、及びクリアボタンが配置される。入力ボタンは、レジ番号またはレシート番号を入力するためのボタンである。実行ボタンは、入力されたレジ番号またはレシート番号で識別される取引の呼出を実行するためのボタンである。テンキーは、レジ番号またはレシート番号の数値を入力するためのキーである。クリアボタンは、入力した数値をクリアするためのボタンである。終了ボタンは、検索登録画面２１０を終了するためのボタンである。
【００６７】
このように、検索登録画面２１０においてレジ番号またはレシート番号を入力することで取引を呼び出すことができるが、検索登録画面２１０が表示されているときは、スキャナ部１０４により保留レシートに印刷された２次元コードを読み取らせて取引を呼び出すことも可能である。本実施形態では、保留レシートに印刷された２次元コードを読み取らせることで保留情報を取得して取引を呼び出すものとする。
【００６８】
店員は、保留された取引を再開する場合には、上記検索登録画面２１０を表示させ、スキャナ部１０４により保留レシートに印刷された２次元コードを読み取らせる。登録装置１０は、図４に例示した保留レシート（小計ボタン押下前）に印刷された２次元コードがスキャナ部１０４により読み取られた場合、図３に例示した登録画面を表示する。これは、図４に例示した保留レシートから取得された保留情報に含まれる操作情報が、小計ボタンオフを示しているため、その操作情報に基づく画面を表示させたためである。
【００６９】
登録装置１０は、保留レシートが図７に例示した保留レシート（小計ボタン押下後）に印刷された２次元コードがスキャナ部１０４により読み取られた場合、図６に例示した小計画面を表示する。これは、図７に例示した保留レシートから取得された保留情報に含まれる操作情報が、小計ボタンオンを示しているため、その操作情報に基づく画面を表示させたためである。
【００７０】
このように、操作情報に基づく画面を表示することにより、操作の煩わしさを解消することができる。
【００７１】
図１１は、登録装置１０の動作の流れを表すフローチャートである。具体的には、図１１のフローチャートは、ある客について商品を登録し始めてから精算装置２０を指定する迄のフローチャートである。図６のフローチャートの開始時において、店員用表示部１０５には、図９に例示した、商品が１つも登録されていない登録画面が表示されているものとする。なお、図１１のフローチャートではお会計券に関する処理は省略している。
【００７２】
ＣＰＵ１０１は、登録画面において、スキャナ部１０４によって商品がスキャン、あるいは、プリセットボタン（又はプリセットキー）によって商品が選択されたか否かを判定する（ステップＳ１０１）。ステップＳ１０１において、ＣＰＵ１０１は、商品がスキャン（あるいは選択）されたと判定した場合にはステップＳ１０２に進む。そして、ＣＰＵ１０１は、スキャン（あるいは選択）された商品を登録する（ステップＳ１０２）。
【００７３】
ステップＳ１０１において、ＣＰＵ１０１は、商品がスキャン（あるいは選択）されていないと判定した場合にはステップＳ１０３に進む。次いで、ＣＰＵ１０１は、保留ボタンが押下されたか否かを判定する（ステップＳ１０３）。ステップＳ１０３において、ＣＰＵ１０１は、保留ボタンが押下されたと判定した場合には、操作情報を小計ボタンをオフとした保留情報を示す保留レシートを発行して（ステップＳ１１２）、図９に例示した登録画面を表示して（ステップＳ１１１）、本処理を終了する。
【００７４】
ステップＳ１０３において、ＣＰＵ１０１は、保留ボタンが押下されていないと判定した場合には、小計ボタンが押下されたか否かを判定する（ステップＳ１０４）。ステップＳ１０４において、ＣＰＵ１０１は、小計ボタンが押下されていないと判定した場合には、ステップＳ１０１に戻る。ステップＳ１０４において、ＣＰＵ１０１は、小計ボタンが押下されたと判定した場合には、図６に例示したような小計画面を表示する（ステップＳ１０５）。
【００７５】
次いで、ＣＰＵ１０１は、登録画面ボタンが押下されたか否かを判定する（ステップＳ１０６）。ステップＳ１０６において、ＣＰＵ１０１は、登録画面ボタンが押下されたと判定した場合には、ステップＳ１０１に戻る。ステップＳ１０６において、ＣＰＵ１０１は、登録画面ボタンが押下されていないと判定した場合には、保留ボタンが押下されたか否かを判定する（ステップＳ１０７）。
【００７６】
ステップＳ１０７において、ＣＰＵ１０１は、保留ボタンが押下されたと判定した場合には、操作情報を小計ボタンをオンとした保留情報を示す保留レシートを発行して（ステップＳ１１３）、図９に例示した登録画面を表示して（ステップＳ１１１）、本処理を終了する。ステップＳ１０７において、ＣＰＵ１０１は、保留ボタンが押下されていないと判定した場合には、精算装置が指定されたか否かを判定する（ステップＳ１０８）。
【００７７】
ステップＳ１０８において、ＣＰＵ１０１は、精算装置が指定されていないと判定した場合には、ステップＳ１０６に戻る。ステップＳ１０８において、ＣＰＵ１０１は、精算装置が指定されたと判定した場合には、指定された精算装置に登録情報を送信する（ステップＳ１０９）。次いで、ＣＰＵ１０１は、送信確認画面（不図示）を表示する（ステップＳ１１０）。この送信確認画面は、指定された精算装置に登録情報が送信されたことを示す画面である。ＣＰＵ１０１は、図９に例示した登録画面を表示して（ステップＳ１１１）、本処理を終了する。
【００７８】
図１２は、登録装置１０の動作の流れを表すフローチャートである。具体的には、図１２のフローチャートは、検索登録ボタンが押下されてから登録画面または小計画面を表示する迄のフローチャートである。図１２のフローチャートの開始時において、店員用表示部１０５には、図９に例示した、商品が１つも登録されていない登録画面が表示されているものとする。
【００７９】
ＣＰＵ１０１は、検索登録ボタンが押下されたか否かを判定する（ステップＳ２０１）。ステップＳ２０１において、検索登録ボタンが押下されたと判定すると、ＣＰＵ１０１は、図１０で例示した検索登録画面を表示する（ステップＳ２０２）。次いで、ＣＰＵ１０１は、スキャナ部１０４が読み込んだ２次元コードから、保留情報を取得する（ステップＳ２０３）。
【００８０】
ＣＰＵ１０１は、取得した保留情報に含まれる操作情報が小計ボタンオンを示しているか否かを判定する（ステップＳ２０４）。操作情報が小計ボタンオンを示している場合には、ＣＰＵ１０１は、保留情報から取得された登録情報を示す小計画面を表示して（ステップＳ２０５）、本処理を終了する。操作情報が小計ボタンオンを示していない場合には、ＣＰＵ１０１は、保留情報から取得された登録情報を示す登録画面を表示して（ステップＳ２０６）、本処理を終了する。
【００８１】
以上、本発明の一実施形態によるＰＯＳシステム１によれば、操作の煩わしさを解消することができる。
【００８２】
なお、本実施形態では、保留情報は紙に出力されたが、これに限るものではなく、例えば保留情報を記憶可能なＩＣカード等に出力するようにしてもよい。この場合、２次元コードと比較して、より多くの情報を記憶可能となるため、より詳細な操作情報等を出力可能となる。
【００８３】
本実施形態では、小計ボタンが押下された後に保留した場合、再開時には小計画面が表示されるが、登録画面を表示するようにしてもよい。すなわち、表示される画面として、操作情報に基づく画面とは異なる画面を選択可能としてもよい。具体的には、操作情報が小計キーオンを示す場合、画面を表示する前に登録画面を表示するか否かを画面に表示する。そして登録画面を表示することが店員により選択された場合には、小計画面ではなく登録画面を表示する。このようにすることにより、例えば客が買い忘れた商品を持ってきて取引を再開する場合には、登録が必要となるため、登録画面を表示することができるので、操作の煩わしさを解消することができる。
【００８４】
本実施形態で説明した保留レシートを、精算装置２０が読み取ることで、精算装置２０が保留情報を取得し、登録情報に示される登録された商品の精算を可能としてもよい。例えば保留した理由が現金不足であって、現金が用意できたことにより取引を再開可能な場合には、新たに登録される商品はないため、登録装置１０における登録処理は必要ない。そこで、精算装置２０において保留レシートで精算可能とすることで、登録装置１０における登録処理を省くことができるので、操作の煩わしさを解消することができる。
【００８５】
なお、精算装置２０と同様の精算機能を有する装置を店内のサービスカウンタに設け、このサービスカウンタの上記装置によって精算可能としてもよい。これは、保留された取引おいて登録された商品は、かごの中に入れらることが一般的であり、登録装置１０の周辺は、こうしたかごを置くような余裕はあまりないことから、サービスカウンタなどでかごが保管されることもあるためである。なお、精算装置２０と同様の精算機能を有する装置は精算装置２０であってもよいし、ハンディタイプ（例えばタブレットに精算機能が設けられたもの）の装置であってもよい。
【００８６】
本実施形態では、２次元コードに保留情報を格納するようにしたが、これに限るものではない。例えば、１次元コードに取引を識別可能な識別情報のみを格納するようにし、識別情報と紐付けて保留情報を登録装置１０またはストアコントローラ３０が記憶するようにしてもよい。そして、取引を再開する場合には、１次元コードから識別情報を取得して、識別情報に紐付けられた保留情報を登録装置１０またはストアコントローラ３０から取得するようにしてもよい。このようにすることで、保留情報を２次元コードに格納する場合と比較して、保留レシートに出力する情報を削減することができる。
【００８７】
本実施形態では、保留情報は登録情報と操作情報とを含んでいるが、これに限るものではない。例えば、決済種別（現金、クレジットカード、電子マネー等）を示す情報や、金券または品券が使用されたことなどを示す情報（金券の額とその枚数、品券の対象商品等）を保留情報に含めるようにしてもよい。
【００８８】
本実施形態を登録装置１０と精算装置２０とが一体型となった登録精算装置に適用してもよい。この場合であっても、操作情報に基づく画面を表示することにより、操作の煩わしさを解消することができる。
【００８９】
本実施形態では、操作情報として、商品の登録完了を示す締め操作を示す情報（小計ボタン、オン／オフ）を用いた例にして説明したが、操作により表示された状態の画面を示す情報を用いてもよい。上述したように、登録装置１０は、登録画面や小計画面等の種々の画面を表示するが、これらの画面には画面を一意に識別可能な画面番号が割り当てられている。そこで、操作により表示された状態の画面を示す情報を、画面番号としてもよい。この場合であっても、登録装置１０は、本実施形態と同様に、画面番号から小計画面が特定されるため、小計画面を表示可能となるとともに、登録情報から登録された商品に関する情報が得られるため、登録された商品に関する情報を含む小計画面に表示することができる。
【００９０】
本実施形態では、操作として小計ボタンに関する操作を用いて説明したが、他のボタン（例えば、お会計券発行ボタン、割引ボタン等）を押下する操作などであってもよい。
【００９１】
本実施形態では、検索登録ボタン２０３が押下された後に、スキャナ部１０４により保留レシートに印刷された２次元コードを読み取らせて取引を呼び出すことも可能であったが、これに限るものではない。例えば、商品が登録されていない登録画面が表示されている状態で、検索登録ボタン２０３が押下されなくとも、保留レシートに印刷された２次元コードをスキャナ部１０４により読み取り可能としてもよい。この場合、保留レシートに印刷された２次元コードをスキャナ部１０４が読み取ると、保留情報から取得された登録情報を示す小計画面または登録画面が表示される。なお、商品を登録中の登録画面が表示されている状態で、保留レシートに印刷された２次元コードをスキャナ部１０４により読み取られた場合には、商品登録中であるため、エラーを表示する。
【００９２】
本実施形態では、保留情報はハードディスク１０７に記憶されていたが、これに限るものではなく、登録装置１０が保留情報を取得可能であれば、どのような記憶装置であってもよい。保留情報の記憶装置として、例えば、ストアコントローラ３０や、保留情報を専用に記憶する専用サーバなどが挙げられる。この場合、登録装置１０は、生成した保留情報をストアコントローラ３０または専用サーバに出力し、ストアコントローラ３０または専用サーバが、登録装置１０からの要求に応じて、保留情報を提供する。このようにすることにより、保留した登録装置１０以外の登録装置１０であっても、容易に保留情報を取得することが可能となる。
【００９３】
以上、本発明の実施形態について図面を参照して詳述したが、具体的な構成はこの実施形態に限られるものではなく、この発明の要旨を逸脱しない範囲の設計等も含まれる。
【００９４】
なお、本実施形態のＰＯＳシステム１（又は、登録装置１０、精算装置２０、ストアコントロ−ラ３０）の各処理を実行するためのプログラムをコンピュータ読み取り可能な記録媒体に記録して、当該記録媒体に記録されたプログラムをコンピュータシステムに読み込ませ、実行することにより、ＰＯＳシステム１（又は、登録装置１０、精算装置２０、ストアコントロ−ラ３０）の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【符号の説明】
【００９６】
１…ＰＯＳシステム  １０…登録装置（商品登録装置）  ２０…精算装置  ３０…ストア
コントローラ  ４０…ＬＡＮ  １０１…ＣＰＵ  １０２…ＲＯＭ  １０３…ＲＡＭ  １０
４…スキャナ部  １０５…店員用表示部  １０６…客用表示部  １０７…ハードディスク
１０８…店員用操作部  １０９…通信部  １１０…ブザー  １１１…印刷部  １１２…
バス  ２０１…小計ボタン  ２０２…保留ボタン  ２０３…検索登録ボタン  ２１０…検
索登録画面
【図１】
2018092408.tif 000003
【図２】
2018092408.tif 000004
【図３】
2018092408.tif 000005
【図４】
2018092408.tif 000006
【図５】
2018092408.tif 000007
【図６】
2018092408.tif 000008
【図７】
2018092408.tif 000009
【図８】
2018092408.tif 000010
【図９】
2018092408.tif 000011
【図１０】
2018092408.tif 000012
【図１１】
2018092408.tif 000013
【図１２】
2018092408.tif 000014